(57)【要約】【課題】高圧縮率又は高品質の動画像圧縮を行うことができる動画像圧縮方法を提供する。【解決手段】縮小器２０は原画像を縮小し、符号化器２１、２４、２７は縮小Ｉフレーム、縮小Ｂフレーム、縮小Ｐフレームを生成し、データサイズ比較器３０は、縮小Ｉフレーム、縮小Ｂフレーム、縮小Ｐフレームのデータサイズを比較し、データサイズが最も小さくなるフレームタイプの選択を指示するフレームタイプ選択信号ＳＡを出力する。メイン符号化器３４は、画質が一定水準にあることが要請される場合には、フレームタイプ選択信号ＳＡが指示するフレームタイプで原画像の符号化を行う。【選択図】          図１
2006229659.tif 000002
【特許請求の範囲】
【請求項１】
原画像を縮小し、符号化方法が異なる複数の符号化画像を生成する工程と、
前記複数の符号化画像からデータサイズが最も小さくなる符号化方法を検出し、該検出した符号化方法で前記原画像を符号化する工程を含む
ことを特徴とする動画像圧縮方法。
【請求項２】
原画像を縮小し、符号化方法が異なる複数の符号化画像を生成する工程と、
前記複数の符号化画像から品質が最も良い符号化方法を検出し、該検出した符号化方法で前記原画像を符号化する工程を含む
ことを特徴とする動画像圧縮方法。
【請求項３】
原画像を縮小し、符号化方法が異なる複数の符号化画像を生成する手段と、
前記複数の符号化画像からデータサイズが最も小さくなる符号化方法を検出し、該検出した符号化方法で前記原画像を符号化する手段を有する
ことを特徴とする動画像圧縮装置。
【請求項４】
原画像を縮小し、符号化方法が異なる複数の符号化画像を生成する手段と、
前記複数の符号化画像から品質が最も良い符号化方法を検出し、該検出した符号化方法で前記原画像を符号化する手段を有する
ことを特徴とする動画像圧縮装置。
【請求項５】
原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程をコンピュータに実行させるプログラムを含む
ことを特徴とする動画像圧縮プログラム。
【発明の詳細な説明】
【技術分野】
【０００１】
本発明は、ＭＰＥＧ規格の動画像圧縮を行う場合等に使用して好適な動画像圧縮方法及び装置並びにプログラムに関する。
【背景技術】
【０００２】
一般に、動画像は、連続して与えられる原画像（静止画像、フレーム）で構成されるが、このような動画像の圧縮は、原画像を符号化し、Ｉフレーム（フレーム内符号化画像）や、Ｂフレーム（双方向予測符号化画像）や、Ｐフレーム（フレーム間順方向予測符号化画像）を生成することにより行われる。
【０００３】
図４は従来の動画像圧縮装置の一例の概略的構成図である。図４中、１は動画像圧縮装置に連続して与えられる原画像列（フレーム列）であり、２f〜２f+6は原画像、３はＩフレームとすべき原画像を符号化してＩフレームを生成する符号化器である。
【０００４】
４は２つの原画像間の差分画像を抽出する差分器、５は差分器４が出力する差分画像を符号化してＰフレームを生成する符号化器、６は３つの原画像間の差分画像を抽出する差分器、７は差分器６が出力する差分画像を符号化してＢフレームを生成する符号化器である。
【０００５】
ここで一般に、動画像における前後の原画像は相関が高いため、ＩフレームよりもＢフレームやＰフレームの方が圧縮率が高い。しかし、動画像の圧縮には、最初にＩフレームの生成が必須であり、また、Ｉフレームには、動画の編集が容易であるとか、早送り／逆再生が容易であるといった利点がある。このため、通常は、数十〜数百フレームに１回はＩフレームが挿入される。
【０００６】
原画像をＩフレーム、Ｂフレーム、Ｐフレームのどのフレームにするかは、ＧＯＰ（Group Of Pictures）で決めた順序を繰り返すことで行なわれる。例えば、ＧＯＰにＩＢＢＢＰＢＢＢＰＢＢＢＰＢＢＢを選択した場合には、ＩＢＢＢＰＢＢＢＰＢＢＢＰＢＢＢＩＢＢＢＰＢＢＢＰＢＢＢＰＢＢＢＩＢＢＢＰＢＢＢＰＢＢＢＰＢＢＢＩＢＢ・・・というように符号化が繰り返される。これによって、高い圧縮率と使い易さを両立させている。
【０００７】
この場合に問題となるのは、シーン・チェンジ（Scene Change）と呼ばれるもので、例えば、ビデオ録画で一時停止後に再開した場合や、番組がＣＭに切り替わった場合のように、前のフレームと全く相関のないフレームというのが存在するが、このようなフレームをＢフレームやＰフレームにしてしまうと、品質の低い圧縮結果となってしまう。
【０００８】
例えば、図５に示すように、原画像２fをＩフレーム、原画像２f+1、２f+2をＰフレームとした場合において、原画像２f+2、２f+3間でシーン・チェンジが発生した場合において、原画像２f+3をＰフレームとする場合には、差分器４が出力する情報量は大きくなり、符号化器５が出力するＰフレームは低品質、低圧縮率のものとなってしまう。
【０００９】
これを避けるためには、シーン・チェンジの発生を検出し、原画像２f+3については、ＰフレームやＢフレームではなく、Ｉフレームとする仕組みを組み込むことが、より高い圧縮率と高画質を得るために必要となる。
【００１０】
図６は従来のシーン・チェンジ検出器を備えた動画像圧縮装置の一例の概略的構成図である。この動画像圧縮装置は、シーン・チェンジ検出器８とセレクタ９を設け、その他については、図４に示す従来の動画像圧縮装置と同様に構成したものである。
【００１１】
シーン・チェンジ検出器８は、原画像列１を観測し、シーン・チェンジ発生を検出したときは、シーン・チェンジ検出信号を選択制御信号としてセレクタ９に与えるものである。セレクタ９は、シーン・チェンジ検出信号が与えられない場合には、差分器４が出力する差分画像を選択して符号化器５に与え、シーン・チェンジ検出信号が与えられた場合には、シーン・チェンジした原画像を選択して符号化器５に与えるものである。
【００１２】
したがって、例えば、原画像２f+2、２f+3間にシーン・チェンジが発生しない場合には、シーン・チェンジ検出器８は、シーン・チェンジ検出信号を出力せず、原画像２f+3はＰフレームとされる。これに対して、原画像２f+2、２f+3間にシーン・チェンジが発生した場合には、シーン・チェンジ検出器８は、シーン・チェンジ検出信号を出力し、原画像２f+3はＩフレームとされる。
【００１３】
シーン・チェンジ検出方式には、例えば、原画像間の画素差分を取る画素差分法と、原画像間の画像の動きを検出する動きベクトル法がある。画素差分法は、原画像間の同一の位置にある画素同士の差の絶対値を累積し、予め決めておいた境界値より大きくなった場合にシーン・チェンジが発生したと判断する方法である。
【００１４】
図７は画素差分法を採用するシーン・チェンジ検出器の一例の概略的構成図である。図７中、１０は２つの原画像間の画素の差分を算出する引算器、１１は引算器１０の出力の絶対値を算出する絶対値器、１２は絶対値器１１の出力を累積加算する累積加算器、１３は累積加算器１２の出力と予め決めておいた境界値を比較し、累積加算器１２の出力が境界値よりも大きくなったとき、シーン・チェンジ検出信号を出力する比較器である。
【００１５】
また、動きベクトル法は、図８に示すように、原画像の小さく区切られた矩形領域１４の個々に対して２つの原画像間に同一画像がないかを検索し、同一画像がない矩形領域１４が多数を占めた場合に、シーン・チェンジが発生したと判断する方法であり、画素差分法よりも高精度でシーン・チェンジの発生を検出することが可能である。
【特許文献１】特開２００２−１８５８１７号公報
【特許文献２】特開平７−５０８３９号公報
【発明の開示】
【発明が解決しようとする課題】
【００１６】
画素差分法や動きベクトル法によるシーン・チェンジ検出方式には、不得手な動画像が存在し、例えば、カメラがフラッシュを光らせた場合や、カメラを大きく移動させた場合や、画像にノイズが多く含まれている場合に誤検出や未検出が出てしまうことがあり、その際に、画像の圧縮率が低下してしまうという問題点があった。
【００１７】
本発明は、かかる点に鑑み、シーン・チェンジの発生を高精度で検出し、高圧縮率又は高品質の動画像圧縮を行うことができる動画像圧縮方法及び装置並びにプログラムを提供することを目的とする。
【課題を解決するための手段】
【００１８】
本発明中、第１の発明は、動画像圧縮方法の発明であり、原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程を含むものである。
【００１９】
本発明中、第２の発明は、動画像圧縮方法の発明であり、原画像を縮小し、符号化方法が異なる複数の符号化画像を生成する工程と、前記複数の符号化画像から品質が最も良い符号化方法を検出し、該検出した符号化方法で前記原画像を符号化する工程を含むものである。
【００２０】
本発明中、第３の発明は、動画像圧縮装置の発明であり、原画像を縮小し、符号化方法が異なる複数の符号化画像を生成する手段と、前記複数の符号化画像からデータサイズが最も小さくなる符号化方法を検出し、該検出した符号化方法で前記原画像を符号化する手段を有するものである。
【００２１】
本発明中、第４の発明は、動画像圧縮装置の発明であり、原画像を縮小し、符号化方法が異なる複数の符号化画像を生成する手段と、前記複数の符号化画像から品質が最も良い符号化方法を検出し、該検出した符号化方法で前記原画像を符号化する手段を有するものである。
【００２２】
本発明中、第５の発明は、動画像圧縮プログラムの発明であり、原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程をコンピュータに実行させるプログラムを含むものである。
【００２３】
本発明中、第６の発明は、動画像圧縮プログラムの発明であり、原画像を縮小し、符号化方法が異なる複数の符号化画像を生成する工程と、前記複数の符号化画像から品質が最も良い符号化方法を検出し、該検出した符号化方法で前記原画像を符号化する工程をコンピュータに実行させるプログラムを含むものである。
【発明の効果】
【００２４】
本発明中、第１、第３、第５の発明によれば、原画像を縮小し、符号化方法が異なる複数の符号化画像を生成し、複数の符号化画像からデータサイズが最も小さくなる符号化方法を検出する工程が実行されるので、これによって、シーン・チェンジを高精度で検出することができ、また、検出した符号化方法で原画像を符号化する工程が実行されるので、高圧縮率の動画像圧縮を行うことができる。
【００２５】
本発明中、第２、第４、第６の発明によれば、原画像を縮小し、符号化方法が異なる複数の符号化画像を生成する工程と、複数の符号化画像から品質が最も良い符号化方法を検出する工程が実行されるので、これによって、シーン・チェンジを高精度で検出することができ、また、検出した符号化方法で原画像を符号化する工程が実行されるので、高品質の動画像圧縮を行うことができる。
【発明を実施するための最良の形態】
【００２６】
図１は本発明の動画像圧縮装置の一実施形態の概略的構成図である。図１中、２０は動画像を構成する原画像のフレームサイズを縮小して縮小原画像を出力する縮小器であり、例えば、原画像のフレームサイズを１／６４に縮小する。
【００２７】
２１は縮小器２０が出力する縮小原画像を入力して縮小Ｉフレームを生成する符号化器、２２は符号化器２１が生成した縮小Ｉフレームを復号して縮小Ｉフレーム復号画像を生成するローカル復号器、２３はローカル復号器２２が生成する縮小Ｉフレーム復号画像を参照画像として格納するための参照画像メモリである。
【００２８】
２４は縮小器２０が出力する縮小原画像と参照画像を入力して縮小Ｂフレームを生成する符号化器、２５は符号化器２４が生成した縮小Ｂフレームを復号して縮小Ｂフレーム復号画像を生成するローカル復号器、２６はローカル復号器２５が生成する縮小Ｂフレーム復号画像を参照画像として格納するための参照画像メモリである。
【００２９】
２７は縮小器２０が出力する縮小原画像と参照画像を入力して縮小Ｐフレームを生成する符号化器、２８は符号化器２７が生成した縮小Ｐフレームを復号して縮小Ｐフレーム復号画像を生成するローカル復号器、２９はローカル復号器２８が出力する縮小Ｐフレーム復号画像を参照画像として格納するための参照画像メモリである。
【００３０】
３０は符号化器２１が出力する縮小Ｉフレームのデータサイズと、符号化器２４が出力する縮小Ｂフレームのデータサイズと、符号化器２７が出力する縮小Ｐフレームのデータサイズを比較し、データサイズが最も小さい縮小符号化フレームのフレームタイプを、原画像を符号化するフレームとして選択することを示すフレームタイプ選択信号ＳＡを出力するデータサイズ比較器である。
【００３１】
３１はローカル復号器２２が出力する縮小Ｉフレーム復号画像と、ローカル復号器２５が出力する縮小Ｂフレーム復号画像と、ローカル復号器２８が出力する縮小Ｐフレーム復号画像を、それぞれ縮小器２０が出力する縮小原画像と比較し、画質が最も良い縮小符号化フレーム復号画像に対応する縮小符号化フレームのフレームタイプを、原画像を符号化するフレームとして選択することを示すフレームタイプ選択信号ＳＢを出力する画質比較器である。
【００３２】
３２はデータサイズ比較器３０が出力するフレームタイプ選択信号ＳＡ又は画質比較器３１が出力するフレームタイプ選択信号ＳＢを選択して出力するセレクタであり、本発明の動画像圧縮装置の一実施形態からの出力データが時間あたり一定量であることが要請される場合には、画質比較器３１が出力するフレームタイプ選択信号ＳＢを選択し、画質が一定水準にあることが要請される場合には、データサイズ比較器３０が出力するフレームタイプ選択信号ＳＡを選択するものである。
【００３３】
３３はフレームタイプ選択信号ＳＡ又はフレームタイプ選択信号ＳＢを選択制御信号として、参照画像メモリ２３、２６、２９に格納されている参照画像を必要に応じて選択的に符号器２４、２７に転送する参照画像選択器である。
【００３４】
３４は原画像を符号化してＩフレーム、Ｂフレーム又はＰフレームを生成するメイン符号化器、３５はメイン符号化器３４が生成したＩフレーム、Ｂフレーム又はＰフレームを復号して、Ｉフレーム復号画像、Ｂフレーム復号画像又はＰフレーム復号画像を生成するローカル復号器、３６はローカル復号器３５が出力する符号化フレーム復号画像を参照画像として格納するための参照画像メモリである。
【００３５】
図２は画質比較器３１の一部分の概略的構成図であり、縮小Ｉフレーム復号画像画質検出部を示しており、縮小Ｂフレーム復号画像画質検出部及び縮小Ｐフレーム復号画像画質検出部も同様に構成されている。
【００３６】
図２中、３７は縮小器２０が出力する縮小原画像、３８はローカル復号器２２が出力する縮小Ｉフレーム復号画像、３９は縮小原画像３７と縮小Ｉフレーム復号画像３８との間の画素の差分を算出する引算器、４０は引算器３９の出力の絶対値を算出する絶対値器、４１は絶対値器４０の出力を累積加算する累積加算器である。
【００３７】
画質比較器３１は、縮小Ｉフレーム復号画像画質検出部の累積加算器４１の出力と、縮小Ｂフレーム復号画像画質検出部の累積加算器の出力と、縮小Ｐフレーム復号画像画質検出部の累積加算器の出力を比較して、累積加算器の出力が最も小さい縮小符号化フレーム復号画像が縮小原画像に最も近い画像と判断し、累積加算器の出力が最も小さい縮小符号化フレーム復号画像に対応する縮小符号化フレームのフレームタイプを、原画像を符号化するフレームとして選択することを示すフレームタイプ選択信号ＳＢを出力する。
【００３８】
図３は本発明の動画像圧縮装置の一実施形態の動作（本発明の動画像圧縮方法の一実施形態）を説明するための図である。本発明の動画像圧縮装置の一実施形態では、まず、第１原画像（第１フレーム）が入力されると、メイン符号化器３４で第１原画像のＩフレームへの符号化が開始される（Ｓ１）と共に、縮小器２０で縮小原画像の生成が開始される（Ｓ２）。
【００３９】
そして、縮小器２０が出力する縮小原画像の縮小Ｉフレームへの符号化が符号化器２１で行われ（Ｓ３）、更に、縮小Ｉフレームの復号がローカル復号器２２で行われ、ローカル復号器２２が出力する縮小Ｉフレーム復号画像が参照画像として参照画像メモリ２３に格納される。
【００４０】
次に、第２原画像（第２フレーム）が入力されると、縮小器２０で縮小原画像が生成される（Ｓ４）。そして、縮小器２０が出力する縮小原画像の縮小Ｉフレームへの符号化が符号化器２１で行われ（Ｓ５）、更に、縮小Ｉフレームの復号がローカル復号器２２で行われ、ローカル復号器２２が出力する縮小Ｉフレーム復号画像が参照画像として参照画像メモリ２３に格納される。
【００４１】
また、縮小器２０が出力する縮小原画像の縮小Ｂフレームへの符号化が、参照画像メモリ２３に格納されている縮小Ｉフレーム復号画像を参照画像として符号化器２４で行われ（Ｓ６）、更に、縮小Ｂフレームの復号がローカル復号器２５で行われ、ローカル復号器２５が出力する縮小Ｂフレーム復号画像が参照画像として参照画像メモリ２６に格納される。
【００４２】
また、縮小器２０が出力する縮小原画像の縮小Ｐフレームへの符号化が、参照画像メモリ２３に格納されている縮小Ｉフレーム復号画像を参照画像として符号化器２７で行われ（Ｓ７）、更に、縮小Ｐフレームの復号がローカル復号器２８で行われ、ローカル復号器２８が出力する縮小Ｐフレーム復号画像が参照画像として参照画像メモリ２９に格納される。なお、ステップＳ５、Ｓ６、Ｓ７は並行して行われる。
【００４３】
次に、縮小Ｉフレーム、縮小Ｂフレーム、縮小Ｐフレームのデータサイズがデータサイズ比較器３０で比較される（Ｓ８）と共に、第２原画像の縮小画像と縮小Ｉフレーム復号画像、縮小Ｂフレーム復号画像及び縮小Ｐフレーム復号画像との比較が画質比較器３１で行われる。
【００４４】
ここで、セレクタ３２が、データサイズ比較器３０が出力するフレームタイプ選択信号ＳＡを選択するように制御されている場合には、メイン符号化器３４は、第１原画像のＩフレームへの符号化が終了すると、フレームタイプ選択信号ＳＡに制御されて第２原画像の符号化フレームへの符号化を開始する（Ｓ９）。
【００４５】
次に、第３原画像が入力されると、縮小器２０で縮小原画像が生成される（Ｓ１０）。そして、縮小器２０が出力する縮小原画像の縮小Ｉフレームへの符号化が符号化器２１で行われ（Ｓ１１）、更に、縮小Ｉフレームの復号がローカル復号器２２で行われ、ローカル復号器２２が出力する縮小Ｉフレーム復号画像が参照画像として参照画像メモリ２３に格納される。
【００４６】
また、縮小器２０が出力する縮小原画像の縮小Ｂフレームへの符号化が、参照画像選択器３３が選択した参照画像を使用して符号化器２４で行われ（Ｓ１２）、更に、縮小Ｂフレームの復号がローカル復号器２５で行われ、ローカル復号器２５が出力する縮小Ｂフレーム復号画像が参照画像として参照画像メモリ２６に格納される。
【００４７】
また、縮小器２０が出力する縮小原画像の縮小Ｐフレームへの符号化が、参照画像選択器３３が選択した参照画像を使用して符号化器２７で行われ（Ｓ１３）、更に、縮小Ｐフレームの復号がローカル復号器２８で行われ、ローカル復号器２８が出力する縮小Ｐフレーム復号画像が参照画像として参照画像メモリ２９に格納される。
【００４８】
次に、縮小Ｉフレーム、縮小Ｂフレーム、縮小Ｐフレームのデータサイズがデータサイズ比較器３０で比較される（Ｓ１４）と共に、第２原画像フレームの縮小画像と縮小Ｉフレーム復号画像、縮小Ｂフレーム復号画像及び縮小Ｐフレーム復号画像との比較が画質比較器３１で行われる。
【００４９】
ここで、前述のように、セレクタ３２が、データサイズ比較器３０が出力するフレームタイプ選択信号ＳＡを選択するように制御されている場合には、メイン符号化器３４は、第２原画像の符号化フレームへの符号化が終了すると、フレームタイプ選択信号ＳＡに制御されて第２原画像の符号化フレームへの符号化を開始する（Ｓ１５）。また、参照画像選択器３３は、フレームタイプ選択信号ＳＡの内容に応じて、参照画像の符号化器２４、２７への無転送又は転送を行う。
【００５０】
以下、同様の動作が繰り返される。なお、セレクタ３２が、画質比較器３１が出力するフレームタイプ選択信号ＳＢを選択するように制御される場合には、フレームタイプ選択信号ＳＡの代わりにフレームタイプ選択信号ＳＢが使用されるが、各部の動作はフレームタイプ選択信号ＳＡが選択された場合と同様である。
【００５１】
以上のように、本発明の動画像圧縮装置の一実施形態によれば、原画像を縮小し、縮小Ｉフレーム、縮小Ｂフレーム、縮小Ｐフレームを生成し、これら縮小Ｉフレーム、縮小Ｂフレーム、縮小Ｐフレームからデータサイズが最も小さくなるフレームタイプ（符号化方法）を検出する工程が実行される。
【００５２】
そして、また、セレクタ３２が、データサイズ比較器３０が出力するフレームサイズ選択信号ＳＡを選択するように制御される場合には、原画像について、データサイズ比較器３０で検出したデータサイズが最も小さくなるフレームタイプへの符号化が実行される。
【００５３】
したがって、シーン・チェンジを高精度で検出することができ、また、従来のシーン・チェンジ検出器が不得手とした動画像、例えば、カメラがフラッシュを光らせた場合や、カメラを大きく移動させた場合や、原画像にノイズが多く含まれている場合においても、適切なフレーム選択を行うことができ、高圧縮率の動画像圧縮を行うことができる。
【００５４】
また、本発明の動画像圧縮装置の一実施形態によれば、縮小Ｉフレーム、縮小Ｂフレーム、縮小Ｐフレームを復号し、縮小Ｉフレーム復号画像、縮小Ｂフレーム復号画像、縮小Ｐフレーム復号画像のうち、品質が最も良いフレームタイプ（符号化方法）を検出する工程が実行される。
【００５５】
そして、また、セレクタ３２が、画質比較器３１が出力するフレームサイズ選択信号ＳＢを選択するように制御される場合には、原画像について、画質比較器３１で検出した品質が最も良いフレームタイプへの符号化が実行される。
【００５６】
したがって、この場合においても、シーン・チェンジを高精度で検出することができ、また、従来のシーン・チェンジ検出器が不得手とした動画像、例えば、カメラがフラッシュを光らせた場合や、カメラを大きく移動させた場合や、原画像にノイズが多く含まれている場合においても、適切なフレーム選択を行うことができ、高品質の動画像圧縮を行うことができる。
【００５７】
なお、本発明の動画像圧縮装置の一実施形態においては、データサイズ比較器３０及び画質比較器３１を設けるようにした場合について説明したが、この代わりに、データサイズ比較器３０又は画質比較器３１のいずれか一方のみを設けるようにしても良い。
【００５８】
また、縮小器２０、ローカル復号器２２、２５、２８を含む符号化器２１、２４、２７、データサイズ比較器３０、画質比較器３１、セレクタ３２、参照画像選択器３３及びローカル復号器３５を含むメイン符号化器３４の代わりに、これらの機能を達成するためのプログラムを含む動画像圧縮プログラムと、このような動画像圧縮プログラムを実行するコンピュータを使用するようにしても良い。
【００５９】
ここで、本発明を整理すると、本発明には、少なくとも、以下の動画像圧縮方法及び装置並びにプログラムが含まれる。
【００６０】
（付記１）原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程を含むことを特徴とする動画像圧縮方法。
【００６１】
（付記２）原画像を縮小し、符号化方法が異なる複数の符号化画像を生成する工程と、前記複数の符号化画像から品質が最も良い符号化方法を検出し、該検出した符号化方法で前記原画像を符号化する工程を含むことを特徴とする動画像圧縮方法。
【００６２】
（付記３）原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程、又は、前記複数の符号化画像から品質が最も良い符号化方法を検出し、該検出した符号化方法で前記原画像を符号化する工程を選択して実行する工程を含むことを特徴とする動画像圧縮方法。
【００６３】
（付記４）原画像を縮小し、符号化方法が異なる複数の符号化画像を生成する手段と、前記複数の符号化画像からデータサイズが最も小さくなる符号化方法を検出し、該検出した符号化方法で前記原画像を符号化する手段を有することを特徴とする動画像圧縮装置。
【００６４】
（付記５）原画像を縮小し、符号化方法が異なる複数の符号化画像を生成する手段と、前記複数の符号化画像から品質が最も良い符号化方法を検出し、該検出した符号化方法で前記原画像を符号化する手段を有することを特徴とする動画像圧縮装置。
【００６５】
（付記６）原画像を縮小し、符号化方法が異なる複数の符号化画像を生成する手段と、前記複数の符号化画像からデータサイズが最も小さくなる符号化方法を検出し、該検出した符号化方法で前記原画像を符号化する工程、又は、前記複数の符号化画像から品質が最も良い符号化方法を検出し、該検出した符号化方法で前記原画像を符号化する工程を選択して実行する手段を含むことを特徴とする動画像圧縮装置。
【００６６】
（付記７）原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程をコンピュータに実行させるプログラムを含むことを特徴とする動画像圧縮プログラム。
【００６７】
（付記８）原画像を縮小し、符号化方法が異なる複数の符号化画像を生成する工程と、前記複数の符号化画像から品質が最も良い符号化方法を検出し、該検出した符号化方法で前記原画像を符号化する工程をコンピュータに実行させるプログラムを含むことを特徴とする動画像圧縮プログラム。
【００６８】
（付記９）原画像を縮小し、符号化方法が異なる複数の符号化画像を生成する工程と、前記複数の符号化画像からデータサイズが最も小さくなる符号化方法を検出し、該検出した符号化方法で前記原画像を符号化する工程、又は、前記複数の符号化画像から品質が最も良い符号化方法を検出し、該検出した符号化方法で前記原画像を符号化する工程を選択して行う工程をコンピュータに実行させるプログラムを含むことを特徴とする動画像圧縮プログラム。
【図面の簡単な説明】
【００６９】
【図１】本発明の動画像圧縮装置の一実施形態の概略的構成図である。
【図２】本発明の動画像圧縮装置の一実施形態が備える画質比較器の一部分の概略的構成図である。
【図３】本発明の動画像圧縮装置の一実施形態の動作（本発明の動画像圧縮方法の一実施形態）を説明するための図である。
【図４】従来の動画像圧縮装置の一例の概略的構成図である。
【図５】シーン・チェンジ検出の必要性を説明するための図である。
【図６】従来のシーン・チェンジ検出器を備えた動画像圧縮装置の一例の概略的構成図である。
【図７】画素差分法を採用するシーン・チェンジ検出器の一例の概略的構成図である。
【図８】動きベクトル法によるシーン・チェンジ検出を説明するための図である。
【符号の説明】
【００７０】
２０…縮小器
２１、２４、２７…符号化器
２２、２５、２８…ローカル復号器
２３、２６、２９…参照画像メモリ
３０…データサイズ比較器
３１…画質比較器
３２…セレクタ
３３…参照画像選択器
３４…メイン符号化器
３５…ローカル復号器
３６…参照画像メモリ
３７…縮小原画像
３８…縮小Ｉフレーム復号画像
３９…引算器
４０…絶対値器
４１…累積加算器
【図１】
2006229659.tif 000003
【図２】
2006229659.tif 000004
【図３】
2006229659.tif 000005
【図４】
2006229659.tif 000006
【図５】
2006229659.tif 000007
【図６】
2006229659.tif 000008
【図７】
2006229659.tif 000009
【図８】
2006229659.tif 000010